(57)【特許請求の範囲】
【請求項１】
複数の水平方向の行及び複数の垂直方向の列によってセルがマトリクス状に配置され、前記セルがメモリ機能を有さず、階調がデータ電極に印加されるパルスの印加時間で表現される表示パネルを行単位で走査して映像信号を表示するマトリクス型表示装置の駆動回路において、
前記表示パネルのそれぞれの列で前記表示パネルに供給する映像信号のデータの少なくとも２行分のデータが共通の階調であり白ピークであるか否かを検出する検出手段と、
前記検出手段によって共通の階調であり白ピークであることが検出されなかった場合には前記映像信号のデータを１行単位で走査し、前記検出手段によって共通の階調であり白ピークであることが検出された場合には、前記映像信号のデータを、共通の階調であり白ピークであることが検出された複数行を１水平走査期間内で併せて走査する手段と
を備えることを特徴とするマトリクス型表示装置の駆動回路。
【請求項２】
前記マトリクス型表示装置は、フィールドエミッション表示装置もしくはエレクトロルミネセンス表示装置であることを特徴とする請求項１記載のマトリクス型表示装置の駆動回路。
【発明の詳細な説明】
【０００１】
【発明の属する技術分野】
本発明は、冷陰極電子放出素子等の電子放出源を用いた表示装置（いわゆるフィールドエミッション表示装置）やエレクトロルミネセンス（以下、ＥＬと略記する）表示装置等のマトリクス型表示装置の駆動回路に関する。
【０００２】
【従来の技術】
マトリクス型表示装置としては、冷陰極電子放出素子を用いたフィールドエミッション表示装置やＥＬ表示装置等の１行同時表示型の表示装置が知られている。１行同時表示型の表示装置では、１行単位で同時に表示が行われ、一般的には上から下へ線順次走査され、各行の表示は走査期間中において全列同時に行われる。
【０００３】
さらに詳細には、１行同時表示型とは、ある任意の行の表示が行われている際には、他行の表示が行われない表示装置のことである。例えば、プラズマディスプレイパネルやＴＦＴ液晶表示装置等は線順次駆動を行っているが、セル毎にメモリ機能を有し、複数行の表示が同時に行われるので、この範疇ではない。但し、表示装置が複数の配線ブロックに完全に分割されている場合は、各ブロック内で複数行の同時表示期間がなければ１行同時表示型の表示装置である。
【０００４】
図４は従来の１行同時表示型であるマトリクス型表示装置の駆動回路を示すブロック図である。図４において、表示パネル１０は例えば冷陰極電子放出素子を用いた表示パネルであり、一例として図５に示すように、走査電極Ｌ１〜ＬＭに接続された複数の行配線と、データ電極Ｄ１〜ＤＮに接続された複数の列配線とによって、画素を構成するセル１０ｓがマトリクス状に配置されている。なお、セル１０ｓは、電子放出源である電子放出素子と、この電子放出素子からの電子照射を受ける蛍光体とで構成される。
【０００５】
端子１に入力された映像信号は、シフトレジスタ２に書き込まれる。シフトレジスタ２において１行分のデータが書き込まれた後、ラッチ回路３によってラッチされ、変調回路４にデータが入力される。変調回路４は、データの大小に応じたパルスを表示パネル１０のデータ電極Ｄ１〜ＤＮに入力する。
【０００６】
また、端子７に入力された同期信号は、タイミング制御回路８に入力される。タイミング制御回路８はシフトレジスタ２にシフトクロックを供給し、ラッチ回路３にラッチクロックを供給する。タイミング制御回路８は、また、シフトレジスタ９に１ライン幅のパルスを供給する。シフトレジスタ９はそのパルスを表示パネル１０の走査電極Ｌ１〜ＬＭにスキャンパルスとして１行目から順次入力する。
【０００７】
さらに、図４に示すマトリクス型表示装置を駆動する場合の動作について詳細に説明する。上記のように、表示パネル１０の走査電極Ｌ１〜ＬＭには、順次、シフトレジスタ９によってスキャンパルスが印加される。また、表示パネル１０のデータ電極Ｄ１〜ＤＮには、変調回路４によって、選択されたラインに対応したデータに応じて一例としてパルス幅（ＰＷＭ）変調されたパルスが印加される。
【０００８】
即ち、ｉ行ｊ列のデータに対しては、走査電極Ｌｉが選択されている期間にデータ電極Ｄｊに電圧を印加する。変調回路４がＰＷＭ変調の場合、階調は、データ電極Ｄ１〜ＤＮに印加するパルスの印加時間（パルス幅）で表現される。変調回路４の変調方法はＰＷＭ方式に限らず、電圧変調等のように発光の強弱が表現できる方法であればよい。
【０００９】
図６は、一例としてｊ列を表示する際の動作を示す波形図であり、走査電極に印加するスキャンパルスと、データ電極に印加するパルスとを示している。ここでは、映像信号が、ｉ行ｊ列は黒、ｉ＋１行ｊ列はグレー、ｉ＋２行ｊ列は白である場合について示している。
図６に示すように、ｉ行の水平走査期間Ｈ０において、ｉ行の走査電極Ｌｉには電圧−Ｖｓがかかっており、その他の走査電極には電圧がかかっていない。このとき、ｉ行ｊ列での表示が黒であるため、ｊ列のデータ電極Ｄｊは常に０電位である。
【００１０】
次に、ｉ＋１行の水平走査期間Ｈ１においては、ｉ＋１行の走査電極Ｌ（ｉ＋１）には電圧−Ｖｓがかかっており、その他の走査電極には電圧がかかっていない。このとき、ｉ＋１行ｊ列での表示がグレーであるため、ｊ列のデータ電極Ｄｊには水平走査期間Ｈ１の約半分の期間だけ電圧＋Ｖｄがかかり、その後の約半分の期間は０電位となる。さらに、ｉ＋２行の水平走査期間Ｈ２においては、ｉ＋２行の走査電極Ｌ（ｉ＋２）は電圧−Ｖｓがかかっており、その他の走査電極には電圧がかかっていない。このとき、ｉ＋２行ｊ列での表示が白であるため、ｊ列のデータ電極Ｄｊには水平走査期間Ｈ２の全期間において電圧＋Ｖｄがかかっている。
【００１１】
ところで、冷陰極電子放出素子を用いた表示パネル１０の場合は、電子放出素子が電子放出するためのしきい値を有している。そして、走査電極Ｌ１〜ＬＭにかかる電圧とデータ電極Ｄ１〜ＤＮにかかる電圧との差がしきい値以上で表示状態となり、それ以下では非表示状態となる。
この例では、電圧Ｖｄと電圧Ｖｓはいずれもしきい値Ｖｔｈより小さく、電圧（Ｖｄ＋Ｖｓ）はしきい値Ｖｔｈより大きく設定する。即ち、データ電極Ｄ１〜ＤＮと走査電極Ｌ１〜ＬＭの内の一方のみの電圧印加だけでは発光は起こらず、両方に印加された場合にのみ発光する。
【００１２】
ここでは、ｉ行からｉ＋２行目までの表示過程についてのみ説明したが、実際には、表示パネル１０の走査電極Ｌ１〜ＬＭには、１行からＭ行まで順次、スキャンパルスが印加され、この走査タイミングに合わせて、データ電極Ｄ１〜ＤＮにＰＷＭ変調されたパルスが印加される。
なお、有効画素が４８０行×６４０列の表示の場合には、走査電極が４８０本、データ電極が６４０本存在し、ＲＧＢストライプ構造のカラー表示の場合には１９２０本のデータ電極が存在する。
【００１３】
以上のような構成及び動作により、１フィールド内での各行の表示タイミングは、図７に示すようになる。なお、ここでは、走査電極が４８０行の場合であり、太実線の部分が表示期間となっている。図７に示すように、１フィールド内で１行目から４８０行目まで順次に表示が行われる。
【００１４】
【発明が解決しようとする課題】
上述した１行同時表示型のマトリクス型表示装置においては、各行において１フィールド中で１水平走査期間だけに表示が集中する。このため、連続電子放出に起因して電子放出素子や蛍光体（即ち、セル１０ｓ）に経時変化（焼き付き）が起きる。
また、蛍光体の飽和現象によって、パルス幅（発光時間）と輝度（発光強度）とが比例関係にならず、図８に示すように、緩やかなガンマ特性を有することにより、輝度の効率低下を生じる。なお、パルス幅をｘ、発光強度をｙとすると、図１１に示す特性はｙ＝ｘrと表すことができ、０＜ｒ＜１で、通常、０．７＜ｒ＜０．９程度である。
【００１５】
蛍光体の発光は、蛍光体中に存在する電子が、電子ビームの照射によってより高い準位に励起した後、元の準位に戻る際に差のエネルギーが可視光として放出するものである。蛍光体の励起状態が回復する前に次々と電子が照射してくると、照射される電子量に対する可視光の放出する割合が減少する。これを蛍光体の飽和と言う。蛍光体の飽和現象によって図８に示すようなガンマ特性を有するということは、パルス幅が２倍になっても輝度が２倍にはならないということであり、従来のマトリクス型表示装置では、この輝度低下が問題であった。
【００１６】
さらに、蛍光体の飽和が起きなくても、表示時間が１水平走査期間であるため、高精細度化による画素数の増加によって行が増加すると表示時間が短くなり、輝度の低下が起こる。このように、従来のマトリクス型表示装置は、表示時間によって最大輝度が限定されるため、陰極線管表示装置と同等以上の輝度（ピーク輝度）を得ることができないという問題点があった。
【００１７】
本発明はこのような問題点に鑑みなされたものであり、ピーク輝度を大幅に向上させることができるマトリクス型表示装置の駆動回路を提供することを目的とする。
【００１８】
【課題を解決するための手段】
本発明は、上述した従来の技術の課題を解決するため、複数の水平方向の行及び複数の垂直方向の列によってセルがマトリクス状に配置され、前記セルがメモリ機能を有さず、階調がデータ電極に印加されるパルスの印加時間で表現される表示パネルを行単位で走査して映像信号を表示するマトリクス型表示装置の駆動回路において、前記表示パネルのそれぞれの列で前記表示パネルに供給する映像信号のデータの少なくとも２行分のデータが共通の階調であり白ピークであるか否かを検出する検出手段（５，１１）と、前記検出手段によって共通の階調であり白ピークであることが検出されなかった場合には前記映像信号のデータを１行単位で走査し、前記検出手段によって共通の階調であり白ピークであることが検出された場合には、前記映像信号のデータを、共通の階調であり白ピークであることが検出された複数行を１水平走査期間内で併せて走査する手段（６）とを備えることを特徴とするマトリクス型表示装置の駆動回路を提供するものである。
【００１９】
【発明の実施の形態】
以下、本発明のマトリクス型表示装置の駆動回路について、添付図面を参照して説明する。図１は本発明のマトリクス型表示装置の駆動回路の一実施例を示すブロック図、図２は本発明のマトリクス型表示装置の駆動回路の動作を説明するための波形図、図３は本発明のマトリクス型表示装置の駆動回路の動作を説明するための図である。なお、図１において、図４と同一部分には同一符号が付してある。
【００２０】
図１において、表示パネル１０は例えば冷陰極電子放出素子を用いた表示パネルであり、その具体的構成は図５を用いて説明した通りである。端子１に入力された映像信号は、シフトレジスタ２に書き込まれる。シフトレジスタ２において１行分のデータが書き込まれた後、ラッチ回路３によってラッチされる。ラッチ回路３より出力されたデータは、本発明により新たに加えられた相関検出回路５及び白ピーク検出回路１１に入力される。
【００２１】
相関検出回路５は、１または複数のラインメモリと、比較回路とを備えて構成され、ラッチ回路３より出力されたデータのそれぞれの列において行方向の相関を検出する。ラインメモリを１つ設け、比較回路によって２行分のデータを比較すれば、２行のデータの相関を検出することができ、ラインメモリを２つ以上設ければ、３行分以上のデータの相関を検出することができる。相関検出回路５による相関検出信号はＡＮＤ回路１２の一方の端子に入力される。
【００２２】
白ピーク検出回路１１は、ラッチ回路３より出力されたデータによって、所定の輝度レベル以上の部分が検出される。本実施例では、一例として、白ピークを検出する。白ピーク検出回路１１による白ピーク検出信号はＡＮＤ回路１２のもう一方の端子に入力される。ＡＮＤ回路１２は、相関検出回路５より相関検出信号が入力され、かつ、白ピーク検出回路１１より白ピーク検出信号が入力されたときのみ、本発明により新たに加えられたスキャン多相化回路６に白ピーク相関検出信号を入力する。
【００２３】
ラッチ回路３より出力されたデータは、相関検出回路５を経て変調回路４に入力される。変調回路４は、データの大小に応じて例えばＰＷＭ変調されたパルスを表示パネル１０のデータ電極Ｄ１〜ＤＮに入力する。
【００２４】
また、端子７に入力された同期信号は、タイミング制御回路８に入力される。タイミング制御回路８はシフトレジスタ２にシフトクロックを供給し、ラッチ回路３にラッチクロックを供給する。タイミング制御回路８は、また、シフトレジスタ９に１ライン幅のパルスを供給する。シフトレジスタ９はそのパルスをスキャン多相化回路６に入力する。タイミング制御回路８は、相関検出回路５や白ピーク検出回路１１のタイミングも制御する。スキャン多相化回路６は後述するように入力されたパルスを多相化し、そのパルスをスキャンパルスとして表示パネル１０の走査電極Ｌ１〜ＬＭに入力する。
【００２５】
ここで、図１に示す駆動回路の動作を図２を用いて詳細に説明する。図２の動作例は、映像信号が図３に示すような状態の場合の動作について示している。図３の例は、Ｘ列とＸ＋１列のｉ行〜ｉ＋２行では、白ピークで相関があり、Ｘ＋２列〜Ｘ＋ｎ列のｉ行〜ｉ＋２行では、相関があるもののグレーであり、Ｘ列〜Ｘ＋ｎ列のｉ＋３行では、黒である場合を示している。
【００２６】
Ｘ列とＸ＋１列のｉ行〜ｉ＋２行において、相関検出回路５によって相関があることが検出され、また、白ピーク検出回路１１によって白ピークであることが検出されるので、ＡＮＤ回路１２からは、ｉ行〜ｉ＋２行の期間のみスキャン多相化回路６に白ピーク相関検出信号を供給する。スキャン多相化回路６は、ＡＮＤ回路１２から白ピーク相関検出信号が供給された期間において、走査する行を多相化する。
【００２７】
図２に示すように、ｉ行の水平走査期間Ｈ０において、シフトレジスタ９がｉ番目の端子からスキャンパルスを出力しているとき、ラッチ回路３からはｉ行目の全データが同時に出力されている。ｉ行の走査電極Ｌｉには電圧−Ｖｓがかかっている。このとき、Ｘ列とＸ＋１列では白であるので、Ｘ列とＸ＋１列のデータ電極ＤＸ，Ｄ（Ｘ＋１）には水平走査期間Ｈ０の全期間において電圧＋Ｖｄがかかっている。Ｘ＋２列〜Ｘ＋ｎ列ではグレーであるので、Ｘ＋２列〜Ｘ＋ｎ列のデータ電極Ｄ（Ｘ＋２）〜Ｄ（Ｘ＋ｎ）には水平走査期間Ｈ０の約半分の期間だけ電圧＋Ｖｄがかかり、その後の約半分の期間は０電位となる。
【００２８】
このｉ行の水平走査期間Ｈ０において、従来では、他の行は走査しないが、本発明では、ｉ行〜ｉ＋２行においては白ピークで相関があることが検出されているので、スキャン多相化回路６によって、ｉ＋１行の走査電極Ｌ（ｉ＋１）とｉ＋２行の走査電極Ｌ（ｉ＋２）にも併せて、例えば、水平走査期間Ｈ０後半の約半分の期間Ｈ０ｂだけ電圧−Ｖｓをかけている。従って、ｉ＋１行〜ｉ＋２行では、期間Ｈ０ｂにおいて白く発光する。
【００２９】
さらに、ｉ＋１行の水平走査期間Ｈ１において、シフトレジスタ９がｉ＋１番目の端子からスキャンパルスを出力しているとき、ラッチ回路３からはｉ＋１行目の全データが同時に出力されている。ｉ＋１行の走査電極Ｌ（ｉ＋１）には電圧−Ｖｓがかかっている。このとき、Ｘ列とＸ＋１列では白であるので、Ｘ列とＸ＋１列のデータ電極ＤＸ，Ｄ（Ｘ＋１）には水平走査期間Ｈ１の全期間において電圧＋Ｖｄがかかっている。Ｘ＋２列〜Ｘ＋ｎ列ではグレーであるので、Ｘ＋２列〜Ｘ＋ｎ列のデータ電極Ｄ（Ｘ＋２）〜Ｄ（Ｘ＋ｎ）には水平走査期間Ｈ１の約半分の期間だけ電圧＋Ｖｄがかかり、その後の約半分の期間は０電位となる。
【００３０】
このｉ＋１行の水平走査期間Ｈ１においても、ｉ行〜ｉ＋２行においては白ピークで相関があることが検出されているので、スキャン多相化回路６によって、ｉ行の走査電極Ｌｉとｉ＋２行の走査電極Ｌ（ｉ＋２）にも併せて、水平走査期間Ｈ１後半の約半分の期間Ｈ１ｂだけ電圧−Ｖｓをかけている。従って、ｉ行とｉ＋２行では、期間Ｈ１ｂにおいて白く発光する。
【００３１】
次に、ｉ＋２行の水平走査期間Ｈ２においても同様に、スキャン多相化回路６によって、ｉ行の走査電極Ｌｉとｉ＋１行の走査電極Ｌ（ｉ＋１）にも併せて、水平走査期間Ｈ１後半の約半分の期間Ｈ２ｂだけ電圧−Ｖｓをかけている。従って、ｉ行とｉ＋１行では、期間Ｈ２ｂにおいて白く発光する。なお、本実施例では、ある行を走査しているとき、白ピークで相関のある他の行も同時に発光させる際に、水平走査期間の約半分の期間だけ発光させるようにしたが、半分より長くしたり、短くしたりしてもよい。
【００３２】
以上のようにして、本発明の駆動回路によれば、表示パネル１０は、白ピークで相関のある複数行が同じ１水平走査期間内で併せて表示されることとなる。複数行を併せて発光させるので、１００％白を表示する（８ビット表現では２５５のデータ）場合、１画素分のデータに対して印加するスキャンパルスの幅は、大幅に増加する。図２の例では、ｉ行目ではＨ０＋Ｈ１ｂ＋Ｈ２ｂ、ｉ＋１行目ではＨ０ｂ＋Ｈ１＋Ｈ２ｂ、ｉ＋２行目ではＨ０ｂ＋Ｈ１ｂ＋Ｈ２となり、従来の約２倍である約２水平走査期間、セル１０ｓに電流を流すことが可能となる。白ピークではないグレーや黒においては、従来と同じ走査であり、従来と全く同じ輝度となる。
【００３３】
本実施例では、白ピークで相関のある他の行に対して、水平走査期間における後半の約半分の期間だけ発光させるようにしているので、概ね、１つのセル１０ｓにおいて水平走査期間の全ての期間が連続して発光しないようにし、１つの水平走査期間における発光と次の水平走査期間における発光との間に、水平走査期間の約半分の休止期間（非表示期間）を設けることができる。従って、非表示期間における休止によって蛍光体の励起状態が収まり、初期状態に回復するので、蛍光体の飽和による輝度低下を防止することができる。また、水平走査期間の約半分の休止期間を設けることにより、ガンマ補正効果も併せ持つことができる。
【００３４】
【発明の効果】
以上詳細に説明したように、本発明のマトリクス型表示装置の駆動回路は、表示パネルのそれぞれの列で前記表示パネルに供給する映像信号のデータの少なくとも２行分のデータが共通の階調であり白ピークであるか否かを検出する検出手段と、検出手段によって共通の階調であり白ピークであることが検出されなかった場合には映像信号のデータを１行単位で走査し、検出手段によって共通の階調であり白ピークであることが検出された場合には、映像信号のデータを、共通の階調であり白ピークであることが検出された複数行を１水平走査期間内で併せて走査する手段とを備えるので、蛍光体の飽和による輝度低下があっても輝度を補うことができ、ピーク輝度を大幅に向上させることができる。
【図面の簡単な説明】
【図１】本発明の一実施例を示すブロック図である。
【図２】本発明の動作を説明するための波形図である。
【図３】本発明の動作を説明するための図である。
【図４】従来例を示すブロック図である。
【図５】マトリクス型表示装置の表示パネルの構成を示す図である。
【図６】従来例の動作を説明するための波形図である。
【図７】従来例による表示タイミングを説明するための図である。
【図８】従来例によるパルス幅と発光強度との関係を示す図である。
【符号の説明】
１，７  端子
２，９  シフトレジスタ
３  ラッチ回路
４  変調回路
５  相関検出回路
６  スキャン多相化回路
８  タイミング制御回路
１０  表示パネル
１１  白ピーク検出回路（輝度検出回路）
１２  ＡＮＤ回路
【図１】
0004096441.tif 000002
【図２】
0004096441.tif 000003
【図３】
0004096441.tif 000004
【図４】
0004096441.tif 000005
【図５】
0004096441.tif 000006
【図６】
0004096441.tif 000007
【図７】
0004096441.tif 000008
【図８】
0004096441.tif 000009